(57)【要約】【課題】本発明は防塵黒板を開示した。    【解決手段】頂ラックを含み、前記頂ラックの下端には黒板が固定的に設置され、前記頂ラックの中には開口溝が設置され、前記開口溝の中には駆動装置が設置され、前記開口溝の中にはホルダーがスライドできるように連結され、前記駆動装置が前記ホルダーの移動と回転を制御し、前記ホルダーの中には連通溝が設置され、前記連通溝の下端壁には作動チャンバが設置され、前記作動チャンバの左右端壁には横軸が回転できるように連結され、前記横軸には左方から右方まで第一ベベルギヤと、第一ギヤと、第二ギヤとが固定的に設置され、本装置はチョークの粉を自動的に拭くことができると同時に、チョークの粉を収集でき、先生たちが苦労して黒板を拭く必要がなくなり、同時に浮遊しているチョークの粉を収集し、チョークの粉が先生と学生との健康を害することを防止できる。【選択図】図１
2020183093.tif 000002
【特許請求の範囲】
【請求項１】
正面視で、頂ラックを含み、前記頂ラックの下端には黒板が固定的に設置され、前記頂ラックの中には開口溝が設置され、前記開口溝の中には駆動装置が設置され、前記開口溝の中にはホルダーがスライドできるように連結され、前記駆動装置が前記ホルダーの移動と回転を制御し、前記ホルダーの中には連通溝が設置され、前記連通溝の下端壁には作動チャンバが設置され、前記作動チャンバの左右端壁には横軸が回転できるように連結され、前記横軸には左方から右方まで第一ベベルギヤと、第一ギヤと、第二ギヤとが固定的に設置され、前記作動チャンバの右端壁には短軸が回転できるように連結され、前記短軸の左端には前記第二ギヤと噛み合っている第三ギヤが固定的に設置され、前記短軸の右端にはカムが固定的に設置され、前記作動チャンバの右端壁にはＴ型溝が上下対称的に設置され、前記Ｔ型溝の中にはＴ型ブロックがスライドできるように連結され、前記Ｔ型ブロックと前記Ｔ型溝との間には復帰ばねが連結され、二つの前記Ｔ型ブロックにはそれぞれ推し動かし板が固定的に設置され、二つの前記推し動かし板の間には長黒板拭きが連結され、前記長黒板拭きは前記黒板を上下に拭くことができ、上端の前記推し動かし板が前記カムと当接しており、前記作動チャンバの下端壁には縦軸が回転できるように連結され、前記縦軸の上端には前記第一ベベルギヤと噛み合っている第二ベベルギヤが固定的に設置され、前記縦軸には七つのウォームが固定的に設置され、前記作動チャンバの後端壁には七つの回転軸が回転できるように連結され、前記回転軸の前端にはそれぞれ前記ウォームと噛み合っているウォームホイールが固定的に設置され、前記回転軸の後端には回転盤が固定的に設置され、前記回転盤には連結ロッドが上下対称的に、且つ固定的に設置され、前記連結ロッドのもう一端にはそれぞれ短黒板拭きが固定的に設置され、前記短黒板拭きは回転して前記黒板を拭くことができ、前記作動チャンバの下端壁には連結チャンバが設置され、前記連結チャンバの下端壁には吸い込み溝が設置され、前記縦軸が下方へ伸びて前記作動チャンバを貫通して前記吸い込み溝の中に入っており、且つ前記吸い込み溝の上下端壁と回転できるように連結され、前記吸い込み溝の下端壁にはファン軸が回転できるように連結され、前記ファン軸の下端と前記縦軸の下端にはそれぞれファンベルトプーリが固定的に設置され、二つの前記ファンベルトプーリの間には伝動ベルトが連結され、前記ファン軸の上端には吸い込みファンが固定的に設置され、前記ホルダーの下端面には収集ブロックが固定的に設置され、前記収集ブロックの中には収納溝が設置され、前記収納溝と前記吸い込み溝との間には二つの送気管が連結され、前記収集ブロックの中には収集装置が設置されていることを特徴とする防塵黒板。
【請求項２】
前記駆動装置は前記開口溝の右端壁に固定的に装着されたモーターを含み、前記モーターの左端には前記開口溝の左端壁と回転できるように連結された動力軸が連結され、前記開口溝の左右端壁には親ねじが回転できるように連結され、前記親ねじと前記動力軸にはそれぞれ動力ベルトプーリが対称的に、且つ固定的に設置され、二つの前記動力ベルトプーリの間には連結ベルトが連結され、前記親ねじが前記ホルダーとネジ山により連結され、前記親ねじの回転が前記ホルダーの左右移動を駆動でき、前記動力軸にはまた前記第一ギヤと噛み合っている長ギヤが固定的に設置されていることを特徴とする請求項１に記載の防塵黒板。
【請求項３】
前記収集装置は前記収納溝の上端壁に左右対称的に設置された排気口を含み、前記排気口の中にはフィルタが設置され、前記収納溝の右端壁にはねじり力を有するねじりばね板が設置されていることを特徴とする請求項１に記載の防塵黒板。
【発明の詳細な説明】
【技術分野】
【０００１】
本発明は文房具分野を取り上げて、具体的には防塵黒板である。
【背景技術】
【０００２】
先生たちは授業をする時に黒板を使用する必要があり、従来の黒板で書き終わった時に手で黒板をきれいにする必要があり、時間も体力も大変かかり、しかもこの過程の中で粉塵の浮遊をもたらし、学生と先生が粉塵を吸い込むと健康に悪い影響を与える。
【先行技術文献】
【特許文献】
【０００３】
【特許文献１】中国特許出願公開第１０４２６０５８３号明細書
【発明の概要】
【発明が解決しようとする課題】
【０００４】
本発明は防塵黒板を提供し、上記背景技術において提出された問題を解決することを目的とする。
【課題を解決するための手段】
【０００５】
上記の目的を実現するために、本発明は以下の技術プランを提供する：防塵黒板は、頂ラックを含み、前記頂ラックの下端には黒板が固定的に設置され、前記頂ラックの中には開口溝が設置され、前記開口溝の中には駆動装置が設置され、前記開口溝の中にはホルダーがスライドできるように連結され、前記駆動装置が前記ホルダーの移動と回転を制御し、前記ホルダーの中には連通溝が設置され、前記連通溝の下端壁には作動チャンバが設置され、前記作動チャンバの左右端壁には横軸が回転できるように連結され、前記横軸には左方から右方まで第一ベベルギヤと、第一ギヤと、第二ギヤとが固定的に設置され、前記作動チャンバの右端壁には短軸が回転できるように連結され、前記短軸の左端には前記第二ギヤと噛み合っている第三ギヤが固定的に設置され、前記短軸の右端にはカムが固定的に設置され、前記作動チャンバの右端壁にはＴ型溝が上下対称的に設置され、前記Ｔ型溝の中にはＴ型ブロックがスライドできるように連結され、前記Ｔ型ブロックと前記Ｔ型溝との間には復帰ばねが連結され、二つの前記Ｔ型ブロックにはそれぞれ推し動かし板が固定的に設置され、二つの前記推し動かし板の間には長黒板拭きが連結され、前記長黒板拭きは前記黒板を上下に拭くことができ、上端の前記推し動かし板が前記カムと当接しており、前記作動チャンバの下端壁には縦軸が回転できるように連結され、前記縦軸の上端には前記第一ベベルギヤと噛み合っている第二ベベルギヤが固定的に設置され、前記縦軸には七つのウォームが固定的に設置され、前記作動チャンバの後端壁には七つの回転軸が回転できるように連結され、前記回転軸の前端にはそれぞれ前記ウォームと噛み合っているウォームホイールが固定的に設置され、前記回転軸の後端には回転盤が固定的に設置され、前記回転盤には連結ロッドが上下対称的に、且つ固定的に設置され、前記連結ロッドのもう一端にはそれぞれ短黒板拭きが固定的に設置され、前記短黒板拭きは回転して前記黒板を拭くことができ、前記作動チャンバの下端壁には連結チャンバが設置され、前記連結チャンバの下端壁には吸い込み溝が設置され、前記縦軸が下方へ伸びて前記作動チャンバを貫通して前記吸い込み溝の中に入っており、且つ前記吸い込み溝の上下端壁と回転できるように連結され、前記吸い込み溝の下端壁にはファン軸が回転できるように連結され、前記ファン軸の下端と前記縦軸の下端にはそれぞれファンベルトプーリが固定的に設置され、二つの前記ファンベルトプーリの間には伝動ベルトが連結され、前記ファン軸の上端には吸い込みファンが固定的に設置され、前記ホルダーの下端面には収集ブロックが固定的に設置され、前記収集ブロックの中には収納溝が設置され、前記収納溝と前記吸い込み溝との間には二つの送気管が連結され、前記収集ブロックの中には収集装置が設置されている。
【０００６】
好ましくは、前記駆動装置は前記開口溝の右端壁に固定的に装着されたモーターを含み、前記モーターの左端には前記開口溝の左端壁と回転できるように連結された動力軸が連結され、前記開口溝の左右端壁には親ねじが回転できるように連結され、前記親ねじと前記動力軸にはそれぞれ動力ベルトプーリが対称的に、且つ固定的に設置され、二つの前記動力ベルトプーリの間には連結ベルトが連結され、前記親ねじが前記ホルダーとネジ山により連結され、前記親ねじの回転が前記ホルダーの左右移動を駆動でき、前記動力軸にはまた前記第一ギヤと噛み合っている長ギヤが固定的に設置されている。
【０００７】
好ましくは、前記収集装置は前記収納溝の上端壁に左右対称的に設置された排気口を含み、前記排気口の中にはフィルタが設置され、前記収納溝の右端壁にはねじり力を有するねじりばね板が設置されている。
【発明の効果】
【０００８】
本発明の有益効果は：本装置はチョークの粉を自動的に拭くことができると同時に、チョークの粉を収集でき、先生たちが苦労して黒板を拭く必要がなくなり、同時に浮遊しているチョークの粉を収集し、チョークの粉が先生と学生との健康を害することを防止できる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の防塵黒板の全体全断面の正面構成模式図
【図２】図２は本発明の図１の中のＡの局部拡大図
【図３】図３は本発明の図１の中のＢの局部拡大図
【図４】図４は本発明の図１の中のホルダーの局部側面断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。    
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。    
【００１３】
図１〜４を参照し、本発明の実施例は：防塵黒板であり、頂ラック２１を含み、前記頂ラック２１の下端には黒板６４が固定的に設置され、前記頂ラック２１の中には開口溝２６が設置され、前記開口溝２６の中には駆動装置１０１が設置され、前記開口溝２６の中にはホルダー２２がスライドできるように連結され、前記駆動装置１０１が前記ホルダー２２の移動と回転を制御し、前記ホルダー２２の中には連通溝２３が設置され、前記連通溝２３の下端壁には作動チャンバ３１が設置され、前記作動チャンバ３１の左右端壁には横軸３２が回転できるように連結され、前記横軸３２には左方から右方まで第一ベベルギヤ３４と、第一ギヤ３５と、第二ギヤ３６とが固定的に設置され、前記作動チャンバ３１の右端壁には短軸３８が回転できるように連結され、前記短軸３８の左端には前記第二ギヤ３６と噛み合っている第三ギヤ３７が固定的に設置され、前記短軸３８の右端にはカム３９が固定的に設置され、前記作動チャンバ３１の右端壁にはＴ型溝４０が上下対称的に設置され、前記Ｔ型溝４０の中にはＴ型ブロック４２がスライドできるように連結され、前記Ｔ型ブロック４２と前記Ｔ型溝４０との間には復帰ばね４１が連結され、二つの前記Ｔ型ブロック４２にはそれぞれ推し動かし板４３が固定的に設置され、二つの前記推し動かし板４３の間には長黒板拭き４４が連結され、前記長黒板拭き４４は前記黒板６４を上下に拭くことができ、上端の前記推し動かし板４３が前記カム３９と当接しており、前記作動チャンバ３１の下端壁には縦軸５０が回転できるように連結され、前記縦軸５０の上端には前記第一ベベルギヤ３４と噛み合っている第二ベベルギヤ３３が固定的に設置され、前記縦軸５０には七つのウォーム５１が固定的に設置され、前記作動チャンバ３１の後端壁には七つの回転軸４５が回転できるように連結され、前記回転軸４５の前端にはそれぞれ前記ウォーム５１と噛み合っているウォームホイール４６が固定的に設置され、前記回転軸４５の後端には回転盤４９が固定的に設置され、前記回転盤４９には連結ロッド４７が上下対称的に、且つ固定的に設置され、前記連結ロッド４７のもう一端にはそれぞれ短黒板拭き４８が固定的に設置され、前記短黒板拭き４８は回転して前記黒板６４を拭くことができ、前記作動チャンバ３１の下端壁には連結チャンバ５４が設置され、前記連結チャンバ５４の下端壁には吸い込み溝５３が設置され、前記縦軸５０が下方へ伸びて前記作動チャンバ３１を貫通して前記吸い込み溝５３の中に入っており、且つ前記吸い込み溝５３の上下端壁と回転できるように連結され、前記吸い込み溝５３の下端壁にはファン軸５６が回転できるように連結され、前記ファン軸５６の下端と前記縦軸５０の下端にはそれぞれファンベルトプーリ５２が固定的に設置され、二つの前記ファンベルトプーリ５２の間には伝動ベルト５５が連結され、前記ファン軸５６の上端には吸い込みファン５７が固定的に設置され、前記ホルダー２２の下端面には収集ブロック６０が固定的に設置され、前記収集ブロック６０の中には収納溝６３が設置され、前記収納溝６３と前記吸い込み溝５３との間には二つの送気管５８が連結され、前記収集ブロック６０の中には収集装置１０２が設置されている。
【００１４】
前記駆動装置１０１は前記開口溝２６の右端壁に固定的に装着されたモーター３０を含み、前記モーター３０の左端には前記開口溝２６の左端壁と回転できるように連結された動力軸２７が連結され、前記開口溝２６の左右端壁には親ねじ２４が回転できるように連結され、前記親ねじ２４と前記動力軸２７にはそれぞれ動力ベルトプーリ２８が対称的に、且つ固定的に設置され、二つの前記動力ベルトプーリ２８の間には連結ベルト２９が連結され、前記親ねじ２４が前記ホルダー２２とネジ山により連結され、前記親ねじ２４の回転が前記ホルダー２２の左右移動を駆動でき、前記動力軸２７にはまた前記第一ギヤ３５と噛み合っている長ギヤ２５が固定的に設置され、前記モーター３０を始動し、これにより前記動力軸２７と、前記動力ベルトプーリ２８と、前記親ねじ２４と、前記長ギヤ２５とを連動させて回転させ、これにより前記ホルダー２２を片側へ連動させて移動させることができる。
【００１５】
前記収集装置１０２は前記収納溝６３の上端壁に左右対称的に設置された排気口６２を含み、前記排気口６２の中にはフィルタ５９が設置され、前記収納溝６３の右端壁にはねじり力を有するねじりばね板６１が設置され、チョークの粉が前記送気管５８から前記収納溝６３の中まで入った時、吸い出した気体が前記排気口６２から出て、チョークの粉が前記フィルタ５９に遮断され、前記ねじりばね板６１を推し動かすと前記収納溝６３の中のチョークの粉を取り出すことができる。
【００１６】
使用する時、一面の黒板に字を書き詰めた時、モーター３０を始動し、これにより動力軸２７と、動力ベルトプーリ２８と、親ねじ２４と、長ギヤ２５とを連動させて回転させ、これによりホルダー２２を片側へ連動させて移動させることができ、長ギヤ２５の回転が第一ギヤ３５と、横軸３２と、第二ギヤ３６と、第三ギヤ３７と、短軸３８と、カム３９とを連動させて回転させ、これにより推し動かし板４３と長黒板拭き４４を連動させて上下に移動させ、これにより長黒板拭き４４を通じてチョークで書いた字を拭き、第一ベベルギヤ３４が横軸３２と、縦軸５０と、ウォーム５１と、ウォームホイール４６と、回転軸４５と、回転盤４９と、連結ロッド４７と、短黒板拭き４８とを連動させて回転させ、これによりチョークで書いた字を徹底的にきれいに拭き、ホルダー２２が左方へ移動する時にまず短黒板拭き４８によりチョークで書いた字を拭き、そして長黒板拭き４４によりチョークで書いた字を徹底的にきれいに拭き、縦軸５０がファンベルトプーリ５２と、ファン軸５６と、吸い込みファン５７とを連動させて回転させ、これにより作動チャンバ３１の中の浮遊しているチョークの粉を送気管５８により収納溝６３の中まで送り、吸い出した気体が排気口６２から出て、チョークの粉がフィルタ５９に遮断され、ねじりばね板６１を推し動かすと収納溝６３の中のチョークの粉を取り出すことができる。
【００１７】
本発明の有益効果は：本装置はチョークの粉を自動的に拭くことができると同時に、チョークの粉を収集でき、先生たちが苦労して黒板を拭く必要がなくなり、同時に浮遊しているチョークの粉を収集し、チョークの粉が先生と学生との健康を害することを防止できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020183093.tif 000003
【図２】
2020183093.tif 000004
【図３】
2020183093.tif 000005
【図４】
2020183093.tif 000006
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
正面視で、頂ラックを含み、前記頂ラックの下端には黒板が固定的に設置され、前記頂ラックの中には開口溝が設置され、前記開口溝の中には駆動装置が設置され、前記開口溝の中には左右方向にスライドできるホルダーが設置され、前記駆動装置が前記ホルダーの移動と回転を制御し、前記ホルダーの中には連通溝が設置され、前記連通溝の下端壁には作動チャンバが設置され、前記作動チャンバの左右端壁には横軸が回転できるように連結され、前記横軸には左方から右方まで第一ベベルギヤと、第一ギヤと、第二ギヤとが固定的に設置され、前記作動チャンバの右端壁には短軸が回転できるように連結され、前記短軸の左端には前記第二ギヤと噛み合っている第三ギヤが固定的に設置され、前記短軸の右端にはカムが固定的に設置され、前記作動チャンバの右端壁にはＴ型溝が上下対称的に設置され、前記Ｔ型溝の中にはＴ型ブロックがスライドできるように連結され、前記Ｔ型ブロックと前記Ｔ型溝との間には復帰ばねが連結され、二つの前記Ｔ型ブロックにはそれぞれ推し動かし板が固定的に設置され、二つの前記推し動かし板の間には長黒板拭きが連結され、前記長黒板拭きは前記黒板を上下に拭くことができ、上端の前記推し動かし板が前記カムと当接しており、前記作動チャンバの下端壁には縦軸が回転できるように連結され、前記縦軸の上端には前記第一ベベルギヤと噛み合っている第二ベベルギヤが固定的に設置され、前記縦軸には七つのウォームが固定的に設置され、前記作動チャンバの後端壁には七つの回転軸が回転できるように連結され、前記回転軸の前端にはそれぞれ前記ウォームと噛み合っているウォームホイールが固定的に設置され、前記回転軸の後端には回転盤が固定的に設置され、前記回転盤には連結ロッドが上下対称的に、且つ固定的に設置され、前記連結ロッドのもう一端にはそれぞれ短黒板拭きが固定的に設置され、前記短黒板拭きは回転して前記黒板を拭くことができ、前記作動チャンバの下端壁には連結チャンバが設置され、前記連結チャンバの下端壁には吸い込み溝が設置され、前記縦軸が下方へ伸びて前記作動チャンバを貫通して前記吸い込み溝の中に入っており、且つ前記吸い込み溝の上下端壁と回転できるように連結され、前記吸い込み溝の下端壁にはファン軸が回転できるように連結され、前記ファン軸の下端と前記縦軸の下端にはそれぞれファンベルトプーリが固定的に設置され、二つの前記ファンベルトプーリの間には伝動ベルトが連結され、前記ファン軸の上端には吸い込みファンが固定的に設置され、前記ホルダーの下端面には収集ブロックが固定的に設置され、前記収集ブロックの中には収納溝が設置され、前記収納溝と前記吸い込み溝との間には二つの送気管が連結され、前記収集ブロックの中には収集装置が設置され、
前記駆動装置は前記開口溝の右端壁に固定的に装着されたモーターを含み、前記モーターの左端には前記開口溝の左端壁と回転できるように連結された動力軸が連結され、前記開口溝の左右端壁には親ねじが回転できるように連結され、前記親ねじと前記動力軸にはそれぞれ動力ベルトプーリが対称的に、且つ固定的に設置され、二つの前記動力ベルトプーリの間には連結ベルトが連結され、前記親ねじが前記ホルダーとネジ山により連結され、前記親ねじの回転が前記ホルダーの左右移動を駆動でき、前記動力軸にはまた前記第一ギヤと噛み合っている長ギヤが固定的に設置され、
前記収集装置は前記収納溝の上端壁に左右対称的に設置された排気口を含み、前記排気口の中にはフィルタが設置され、前記収納溝の右端壁にはねじり力を有するねじりばね板が設置されていることを特徴とする防塵黒板。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げて、具体的には防塵黒板である。
【背景技術】
【０００２】
先生たちは授業をする時に黒板を使用する必要があり、従来の黒板で書き終わった時に手で黒板をきれいにする必要があり、時間も体力も大変かかり、しかもこの過程の中で粉塵の浮遊をもたらし、学生と先生が粉塵を吸い込むと健康に悪い影響を与える。
【先行技術文献】
【特許文献】
【０００３】
【特許文献１】中国特許出願公開第１０４２６０５８３号明細書
【発明の概要】
【発明が解決しようとする課題】
【０００４】
本発明は防塵黒板を提供し、上記背景技術において提出された問題を解決することを目的とする。
【課題を解決するための手段】
【０００５】
上記の目的を実現するために、本発明は以下の技術プランを提供する：防塵黒板は、頂ラックを含み、前記頂ラックの下端には黒板が固定的に設置され、前記頂ラックの中には開口溝が設置され、前記開口溝の中には駆動装置が設置され、前記開口溝の中には左右方向にスライドできるホルダーが設置され、前記駆動装置が前記ホルダーの移動と回転を制御し、前記ホルダーの中には連通溝が設置され、前記連通溝の下端壁には作動チャンバが設置され、前記作動チャンバの左右端壁には横軸が回転できるように連結され、前記横軸には左方から右方まで第一ベベルギヤと、第一ギヤと、第二ギヤとが固定的に設置され、前記作動チャンバの右端壁には短軸が回転できるように連結され、前記短軸の左端には前記第二ギヤと噛み合っている第三ギヤが固定的に設置され、前記短軸の右端にはカムが固定的に設置され、前記作動チャンバの右端壁にはＴ型溝が上下対称的に設置され、前記Ｔ型溝の中にはＴ型ブロックがスライドできるように連結され、前記Ｔ型ブロックと前記Ｔ型溝との間には復帰ばねが連結され、二つの前記Ｔ型ブロックにはそれぞれ推し動かし板が固定的に設置され、二つの前記推し動かし板の間には長黒板拭きが連結され、前記長黒板拭きは前記黒板を上下に拭くことができ、上端の前記推し動かし板が前記カムと当接しており、前記作動チャンバの下端壁には縦軸が回転できるように連結され、前記縦軸の上端には前記第一ベベルギヤと噛み合っている第二ベベルギヤが固定的に設置され、前記縦軸には七つのウォームが固定的に設置され、前記作動チャンバの後端壁には七つの回転軸が回転できるように連結され、前記回転軸の前端にはそれぞれ前記ウォームと噛み合っているウォームホイールが固定的に設置され、前記回転軸の後端には回転盤が固定的に設置され、前記回転盤には連結ロッドが上下対称的に、且つ固定的に設置され、前記連結ロッドのもう一端にはそれぞれ短黒板拭きが固定的に設置され、前記短黒板拭きは回転して前記黒板を拭くことができ、前記作動チャンバの下端壁には連結チャンバが設置され、前記連結チャンバの下端壁には吸い込み溝が設置され、前記縦軸が下方へ伸びて前記作動チャンバを貫通して前記吸い込み溝の中に入っており、且つ前記吸い込み溝の上下端壁と回転できるように連結され、前記吸い込み溝の下端壁にはファン軸が回転できるように連結され、前記ファン軸の下端と前記縦軸の下端にはそれぞれファンベルトプーリが固定的に設置され、二つの前記ファンベルトプーリの間には伝動ベルトが連結され、前記ファン軸の上端には吸い込みファンが固定的に設置され、前記ホルダーの下端面には収集ブロックが固定的に設置され、前記収集ブロックの中には収納溝が設置され、前記収納溝と前記吸い込み溝との間には二つの送気管が連結され、前記収集ブロックの中には収集装置が設置されている。
【０００６】
好ましくは、前記駆動装置は前記開口溝の右端壁に固定的に装着されたモーターを含み、前記モーターの左端には前記開口溝の左端壁と回転できるように連結された動力軸が連結され、前記開口溝の左右端壁には親ねじが回転できるように連結され、前記親ねじと前記動力軸にはそれぞれ動力ベルトプーリが対称的に、且つ固定的に設置され、二つの前記動力ベルトプーリの間には連結ベルトが連結され、前記親ねじが前記ホルダーとネジ山により連結され、前記親ねじの回転が前記ホルダーの左右移動を駆動でき、前記動力軸にはまた前記第一ギヤと噛み合っている長ギヤが固定的に設置されている。
【０００７】
好ましくは、前記収集装置は前記収納溝の上端壁に左右対称的に設置された排気口を含み、前記排気口の中にはフィルタが設置され、前記収納溝の右端壁にはねじり力を有するねじりばね板が設置されている。
【発明の効果】
【０００８】
本発明の有益効果は：本装置はチョークの粉を自動的に拭くことができると同時に、チョークの粉を収集でき、先生たちが苦労して黒板を拭く必要がなくなり、同時に浮遊しているチョークの粉を収集し、チョークの粉が先生と学生との健康を害することを防止できる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の防塵黒板の全体全断面の正面構成模式図
【図２】図２は本発明の図１の中のＡの局部拡大図
【図３】図３は本発明の図１の中のＢの局部拡大図
【図４】図４は本発明の図１の中のホルダーの局部側面断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜４を参照し、本発明の実施例は：防塵黒板であり、頂ラック２１を含み、前記頂ラック２１の下端には黒板６４が固定的に設置され、前記頂ラック２１の中には開口溝２６が設置され、前記開口溝２６の中には駆動装置１０１が設置され、前記開口溝２６の中には左右方向にスライドできるホルダー２２が設置され、前記駆動装置１０１が前記ホルダー２２の移動と回転を制御し、前記ホルダー２２の中には連通溝２３が設置され、前記連通溝２３の下端壁には作動チャンバ３１が設置され、前記作動チャンバ３１の左右端壁には横軸３２が回転できるように連結され、前記横軸３２には左方から右方まで第一ベベルギヤ３４と、第一ギヤ３５と、第二ギヤ３６とが固定的に設置され、前記作動チャンバ３１の右端壁には短軸３８が回転できるように連結され、前記短軸３８の左端には前記第二ギヤ３６と噛み合っている第三ギヤ３７が固定的に設置され、前記短軸３８の右端にはカム３９が固定的に設置され、前記作動チャンバ３１の右端壁にはＴ型溝４０が上下対称的に設置され、前記Ｔ型溝４０の中にはＴ型ブロック４２がスライドできるように連結され、前記Ｔ型ブロック４２と前記Ｔ型溝４０との間には復帰ばね４１が連結され、二つの前記Ｔ型ブロック４２にはそれぞれ推し動かし板４３が固定的に設置され、二つの前記推し動かし板４３の間には長黒板拭き４４が連結され、前記長黒板拭き４４は前記黒板６４を上下に拭くことができ、上端の前記推し動かし板４３が前記カム３９と当接しており、前記作動チャンバ３１の下端壁には縦軸５０が回転できるように連結され、前記縦軸５０の上端には前記第一ベベルギヤ３４と噛み合っている第二ベベルギヤ３３が固定的に設置され、前記縦軸５０には七つのウォーム５１が固定的に設置され、前記作動チャンバ３１の後端壁には七つの回転軸４５が回転できるように連結され、前記回転軸４５の前端にはそれぞれ前記ウォーム５１と噛み合っているウォームホイール４６が固定的に設置され、前記回転軸４５の後端には回転盤４９が固定的に設置され、前記回転盤４９には連結ロッド４７が上下対称的に、且つ固定的に設置され、前記連結ロッド４７のもう一端にはそれぞれ短黒板拭き４８が固定的に設置され、前記短黒板拭き４８は回転して前記黒板６４を拭くことができ、前記作動チャンバ３１の下端壁には連結チャンバ５４が設置され、前記連結チャンバ５４の下端壁には吸い込み溝５３が設置され、前記縦軸５０が下方へ伸びて前記作動チャンバ３１を貫通して前記吸い込み溝５３の中に入っており、且つ前記吸い込み溝５３の上下端壁と回転できるように連結され、前記吸い込み溝５３の下端壁にはファン軸５６が回転できるように連結され、前記ファン軸５６の下端と前記縦軸５０の下端にはそれぞれファンベルトプーリ５２が固定的に設置され、二つの前記ファンベルトプーリ５２の間には伝動ベルト５５が連結され、前記ファン軸５６の上端には吸い込みファン５７が固定的に設置され、前記ホルダー２２の下端面には収集ブロック６０が固定的に設置され、前記収集ブロック６０の中には収納溝６３が設置され、前記収納溝６３と前記吸い込み溝５３との間には二つの送気管５８が連結され、前記収集ブロック６０の中には収集装置１０２が設置されている。
【００１４】
前記駆動装置１０１は前記開口溝２６の右端壁に固定的に装着されたモーター３０を含み、前記モーター３０の左端には前記開口溝２６の左端壁と回転できるように連結された動力軸２７が連結され、前記開口溝２６の左右端壁には親ねじ２４が回転できるように連結され、前記親ねじ２４と前記動力軸２７にはそれぞれ動力ベルトプーリ２８が対称的に、且つ固定的に設置され、二つの前記動力ベルトプーリ２８の間には連結ベルト２９が連結され、前記親ねじ２４が前記ホルダー２２とネジ山により連結され、前記親ねじ２４の回転が前記ホルダー２２の左右移動を駆動でき、前記動力軸２７にはまた前記第一ギヤ３５と噛み合っている長ギヤ２５が固定的に設置され、前記モーター３０を始動し、これにより前記動力軸２７と、前記動力ベルトプーリ２８と、前記親ねじ２４と、前記長ギヤ２５とを連動させて回転させ、これにより前記ホルダー２２を片側へ連動させて移動させることができる。
【００１５】
前記収集装置１０２は前記収納溝６３の上端壁に左右対称的に設置された排気口６２を含み、前記排気口６２の中にはフィルタ５９が設置され、前記収納溝６３の右端壁にはねじり力を有するねじりばね板６１が設置され、チョークの粉が前記送気管５８から前記収納溝６３の中まで入った時、吸い出した気体が前記排気口６２から出て、チョークの粉が前記フィルタ５９に遮断され、前記ねじりばね板６１を推し動かすと前記収納溝６３の中のチョークの粉を取り出すことができる。
【００１６】
使用する時、一面の黒板に字を書き詰めた時、モーター３０を始動し、これにより動力軸２７と、動力ベルトプーリ２８と、親ねじ２４と、長ギヤ２５とを連動させて回転させ、これによりホルダー２２を片側へ連動させて移動させることができ、長ギヤ２５の回転が第一ギヤ３５と、横軸３２と、第二ギヤ３６と、第三ギヤ３７と、短軸３８と、カム３９とを連動させて回転させ、これにより推し動かし板４３と長黒板拭き４４を連動させて上下に移動させ、これにより長黒板拭き４４を通じてチョークで書いた字を拭き、第一ベベルギヤ３４が横軸３２と、縦軸５０と、ウォーム５１と、ウォームホイール４６と、回転軸４５と、回転盤４９と、連結ロッド４７と、短黒板拭き４８とを連動させて回転させ、これによりチョークで書いた字を徹底的にきれいに拭き、ホルダー２２が左方へ移動する時にまず短黒板拭き４８によりチョークで書いた字を拭き、そして長黒板拭き４４によりチョークで書いた字を徹底的にきれいに拭き、縦軸５０がファンベルトプーリ５２と、ファン軸５６と、吸い込みファン５７とを連動させて回転させ、これにより作動チャンバ３１の中の浮遊しているチョークの粉を送気管５８により収納溝６３の中まで送り、吸い出した気体が排気口６２から出て、チョークの粉がフィルタ５９に遮断され、ねじりばね板６１を推し動かすと収納溝６３の中のチョークの粉を取り出すことができる。
【００１７】
本発明の有益効果は：本装置はチョークの粉を自動的に拭くことができると同時に、チョークの粉を収集でき、先生たちが苦労して黒板を拭く必要がなくなり、同時に浮遊しているチョークの粉を収集し、チョークの粉が先生と学生との健康を害することを防止できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
正面視で、頂ラックを含み、前記頂ラックの下端には黒板が固定的に設置され、前記頂ラックの中には開口溝が設置され、前記開口溝の中には駆動装置が設置され、前記開口溝の中には左右方向にスライドできるホルダーが設置され、前記駆動装置が前記ホルダーの移動を制御し、前記ホルダーの中には連通溝が設置され、前記連通溝の下端壁には作動チャンバが設置され、前記作動チャンバの左右端壁には横軸が回転できるように連結され、前記横軸には左方から右方まで第一ベベルギヤと、第一ギヤと、第二ギヤとが固定的に設置され、前記作動チャンバの右端壁には短軸が回転できるように連結され、前記短軸の左端には前記第二ギヤと噛み合っている第三ギヤが固定的に設置され、前記短軸の右端にはカムが固定的に設置され、前記作動チャンバの右端壁にはＴ型溝が上下対称的に設置され、前記Ｔ型溝の中にはＴ型ブロックがスライドできるように連結され、前記Ｔ型ブロックと前記Ｔ型溝との間には復帰ばねが連結され、二つの前記Ｔ型ブロックにはそれぞれ推し動かし板が固定的に設置され、二つの前記推し動かし板の間には長黒板拭きが連結され、前記長黒板拭きは前記黒板を上下に拭くことができ、上端の前記推し動かし板が前記カムと当接しており、前記作動チャンバの下端壁には縦軸が回転できるように連結され、前記縦軸の上端には前記第一ベベルギヤと噛み合っている第二ベベルギヤが固定的に設置され、前記縦軸には七つのウォームが固定的に設置され、前記作動チャンバの後端壁には七つの回転軸が回転できるように連結され、前記回転軸の前端にはそれぞれ前記ウォームと噛み合っているウォームホイールが固定的に設置され、前記回転軸の後端には回転盤が固定的に設置され、前記回転盤には連結ロッドが上下対称的に、且つ固定的に設置され、前記連結ロッドのもう一端にはそれぞれ短黒板拭きが固定的に設置され、前記短黒板拭きは回転して前記黒板を拭くことができ、前記作動チャンバの下端壁には連結チャンバが設置され、前記連結チャンバの下端壁には吸い込み溝が設置され、前記縦軸が下方へ伸びて前記作動チャンバを貫通して前記吸い込み溝の中に入っており、且つ前記吸い込み溝の上下端壁と回転できるように連結され、前記吸い込み溝の下端壁にはファン軸が回転できるように連結され、前記ファン軸の下端と前記縦軸の下端にはそれぞれファンベルトプーリが固定的に設置され、二つの前記ファンベルトプーリの間には伝動ベルトが連結され、前記ファン軸の上端には吸い込みファンが固定的に設置され、前記ホルダーの下端面には収集ブロックが固定的に設置され、前記収集ブロックの中には収納溝が設置され、前記収納溝と前記吸い込み溝との間には二つの送気管が連結され、前記収集ブロックの中には収集装置が設置され、
前記駆動装置は前記開口溝の右端壁に固定的に装着されたモーターを含み、前記モーターの左端には前記開口溝の左端壁と回転できるように連結された動力軸が連結され、前記開口溝の左右端壁には親ねじが回転できるように連結され、前記親ねじと前記動力軸にはそれぞれ動力ベルトプーリが対称的に、且つ固定的に設置され、二つの前記動力ベルトプーリの間には連結ベルトが連結され、前記親ねじが前記ホルダーとネジ山により連結され、前記親ねじの回転が前記ホルダーの左右移動を駆動でき、前記動力軸にはまた前記第一ギヤと噛み合っている長ギヤが固定的に設置され、
前記収集装置は前記収納溝の上端壁に左右対称的に設置された排気口を含み、前記排気口の中にはフィルタが設置され、前記収納溝の右端壁にはねじり力を有するねじりばね板が設置されていることを特徴とする防塵黒板。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げて、具体的には防塵黒板である。
【背景技術】
【０００２】
先生たちは授業をする時に黒板を使用する必要があり、従来の黒板で書き終わった時に手で黒板をきれいにする必要があり、時間も体力も大変かかり、しかもこの過程の中で粉塵の浮遊をもたらし、学生と先生が粉塵を吸い込むと健康に悪い影響を与える。
【先行技術文献】
【特許文献】
【０００３】
【特許文献１】中国特許出願公開第１０４２６０５８３号明細書
【発明の概要】
【発明が解決しようとする課題】
【０００４】
本発明は防塵黒板を提供し、上記背景技術において提出された問題を解決することを目的とする。
【課題を解決するための手段】
【０００５】
上記の目的を実現するために、本発明は以下の技術プランを提供する：防塵黒板は、頂ラックを含み、前記頂ラックの下端には黒板が固定的に設置され、前記頂ラックの中には開口溝が設置され、前記開口溝の中には駆動装置が設置され、前記開口溝の中には左右方向にスライドできるホルダーが設置され、前記駆動装置が前記ホルダーの移動を制御し、前記ホルダーの中には連通溝が設置され、前記連通溝の下端壁には作動チャンバが設置され、前記作動チャンバの左右端壁には横軸が回転できるように連結され、前記横軸には左方から右方まで第一ベベルギヤと、第一ギヤと、第二ギヤとが固定的に設置され、前記作動チャンバの右端壁には短軸が回転できるように連結され、前記短軸の左端には前記第二ギヤと噛み合っている第三ギヤが固定的に設置され、前記短軸の右端にはカムが固定的に設置され、前記作動チャンバの右端壁にはＴ型溝が上下対称的に設置され、前記Ｔ型溝の中にはＴ型ブロックがスライドできるように連結され、前記Ｔ型ブロックと前記Ｔ型溝との間には復帰ばねが連結され、二つの前記Ｔ型ブロックにはそれぞれ推し動かし板が固定的に設置され、二つの前記推し動かし板の間には長黒板拭きが連結され、前記長黒板拭きは前記黒板を上下に拭くことができ、上端の前記推し動かし板が前記カムと当接しており、前記作動チャンバの下端壁には縦軸が回転できるように連結され、前記縦軸の上端には前記第一ベベルギヤと噛み合っている第二ベベルギヤが固定的に設置され、前記縦軸には七つのウォームが固定的に設置され、前記作動チャンバの後端壁には七つの回転軸が回転できるように連結され、前記回転軸の前端にはそれぞれ前記ウォームと噛み合っているウォームホイールが固定的に設置され、前記回転軸の後端には回転盤が固定的に設置され、前記回転盤には連結ロッドが上下対称的に、且つ固定的に設置され、前記連結ロッドのもう一端にはそれぞれ短黒板拭きが固定的に設置され、前記短黒板拭きは回転して前記黒板を拭くことができ、前記作動チャンバの下端壁には連結チャンバが設置され、前記連結チャンバの下端壁には吸い込み溝が設置され、前記縦軸が下方へ伸びて前記作動チャンバを貫通して前記吸い込み溝の中に入っており、且つ前記吸い込み溝の上下端壁と回転できるように連結され、前記吸い込み溝の下端壁にはファン軸が回転できるように連結され、前記ファン軸の下端と前記縦軸の下端にはそれぞれファンベルトプーリが固定的に設置され、二つの前記ファンベルトプーリの間には伝動ベルトが連結され、前記ファン軸の上端には吸い込みファンが固定的に設置され、前記ホルダーの下端面には収集ブロックが固定的に設置され、前記収集ブロックの中には収納溝が設置され、前記収納溝と前記吸い込み溝との間には二つの送気管が連結され、前記収集ブロックの中には収集装置が設置されている。
【０００６】
好ましくは、前記駆動装置は前記開口溝の右端壁に固定的に装着されたモーターを含み、前記モーターの左端には前記開口溝の左端壁と回転できるように連結された動力軸が連結され、前記開口溝の左右端壁には親ねじが回転できるように連結され、前記親ねじと前記動力軸にはそれぞれ動力ベルトプーリが対称的に、且つ固定的に設置され、二つの前記動力ベルトプーリの間には連結ベルトが連結され、前記親ねじが前記ホルダーとネジ山により連結され、前記親ねじの回転が前記ホルダーの左右移動を駆動でき、前記動力軸にはまた前記第一ギヤと噛み合っている長ギヤが固定的に設置されている。
【０００７】
好ましくは、前記収集装置は前記収納溝の上端壁に左右対称的に設置された排気口を含み、前記排気口の中にはフィルタが設置され、前記収納溝の右端壁にはねじり力を有するねじりばね板が設置されている。
【発明の効果】
【０００８】
本発明の有益効果は：本装置はチョークの粉を自動的に拭くことができると同時に、チョークの粉を収集でき、先生たちが苦労して黒板を拭く必要がなくなり、同時に浮遊しているチョークの粉を収集し、チョークの粉が先生と学生との健康を害することを防止できる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の防塵黒板の全体全断面の正面構成模式図
【図２】図２は本発明の図１の中のＡの局部拡大図
【図３】図３は本発明の図１の中のＢの局部拡大図
【図４】図４は本発明の図１の中のホルダーの局部側面断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜４を参照し、本発明の実施例は：防塵黒板であり、頂ラック２１を含み、前記頂ラック２１の下端には黒板６４が固定的に設置され、前記頂ラック２１の中には開口溝２６が設置され、前記開口溝２６の中には駆動装置１０１が設置され、前記開口溝２６の中には左右方向にスライドできるホルダー２２が設置され、前記駆動装置１０１が前記ホルダー２２の移動を制御し、前記ホルダー２２の中には連通溝２３が設置され、前記連通溝２３の下端壁には作動チャンバ３１が設置され、前記作動チャンバ３１の左右端壁には横軸３２が回転できるように連結され、前記横軸３２には左方から右方まで第一ベベルギヤ３４と、第一ギヤ３５と、第二ギヤ３６とが固定的に設置され、前記作動チャンバ３１の右端壁には短軸３８が回転できるように連結され、前記短軸３８の左端には前記第二ギヤ３６と噛み合っている第三ギヤ３７が固定的に設置され、前記短軸３８の右端にはカム３９が固定的に設置され、前記作動チャンバ３１の右端壁にはＴ型溝４０が上下対称的に設置され、前記Ｔ型溝４０の中にはＴ型ブロック４２がスライドできるように連結され、前記Ｔ型ブロック４２と前記Ｔ型溝４０との間には復帰ばね４１が連結され、二つの前記Ｔ型ブロック４２にはそれぞれ推し動かし板４３が固定的に設置され、二つの前記推し動かし板４３の間には長黒板拭き４４が連結され、前記長黒板拭き４４は前記黒板６４を上下に拭くことができ、上端の前記推し動かし板４３が前記カム３９と当接しており、前記作動チャンバ３１の下端壁には縦軸５０が回転できるように連結され、前記縦軸５０の上端には前記第一ベベルギヤ３４と噛み合っている第二ベベルギヤ３３が固定的に設置され、前記縦軸５０には七つのウォーム５１が固定的に設置され、前記作動チャンバ３１の後端壁には七つの回転軸４５が回転できるように連結され、前記回転軸４５の前端にはそれぞれ前記ウォーム５１と噛み合っているウォームホイール４６が固定的に設置され、前記回転軸４５の後端には回転盤４９が固定的に設置され、前記回転盤４９には連結ロッド４７が上下対称的に、且つ固定的に設置され、前記連結ロッド４７のもう一端にはそれぞれ短黒板拭き４８が固定的に設置され、前記短黒板拭き４８は回転して前記黒板６４を拭くことができ、前記作動チャンバ３１の下端壁には連結チャンバ５４が設置され、前記連結チャンバ５４の下端壁には吸い込み溝５３が設置され、前記縦軸５０が下方へ伸びて前記作動チャンバ３１を貫通して前記吸い込み溝５３の中に入っており、且つ前記吸い込み溝５３の上下端壁と回転できるように連結され、前記吸い込み溝５３の下端壁にはファン軸５６が回転できるように連結され、前記ファン軸５６の下端と前記縦軸５０の下端にはそれぞれファンベルトプーリ５２が固定的に設置され、二つの前記ファンベルトプーリ５２の間には伝動ベルト５５が連結され、前記ファン軸５６の上端には吸い込みファン５７が固定的に設置され、前記ホルダー２２の下端面には収集ブロック６０が固定的に設置され、前記収集ブロック６０の中には収納溝６３が設置され、前記収納溝６３と前記吸い込み溝５３との間には二つの送気管５８が連結され、前記収集ブロック６０の中には収集装置１０２が設置されている。
【００１４】
前記駆動装置１０１は前記開口溝２６の右端壁に固定的に装着されたモーター３０を含み、前記モーター３０の左端には前記開口溝２６の左端壁と回転できるように連結された動力軸２７が連結され、前記開口溝２６の左右端壁には親ねじ２４が回転できるように連結され、前記親ねじ２４と前記動力軸２７にはそれぞれ動力ベルトプーリ２８が対称的に、且つ固定的に設置され、二つの前記動力ベルトプーリ２８の間には連結ベルト２９が連結され、前記親ねじ２４が前記ホルダー２２とネジ山により連結され、前記親ねじ２４の回転が前記ホルダー２２の左右移動を駆動でき、前記動力軸２７にはまた前記第一ギヤ３５と噛み合っている長ギヤ２５が固定的に設置され、前記モーター３０を始動し、これにより前記動力軸２７と、前記動力ベルトプーリ２８と、前記親ねじ２４と、前記長ギヤ２５とを連動させて回転させ、これにより前記ホルダー２２を片側へ連動させて移動させることができる。
【００１５】
前記収集装置１０２は前記収納溝６３の上端壁に左右対称的に設置された排気口６２を含み、前記排気口６２の中にはフィルタ５９が設置され、前記収納溝６３の右端壁にはねじり力を有するねじりばね板６１が設置され、チョークの粉が前記送気管５８から前記収納溝６３の中まで入った時、吸い出した気体が前記排気口６２から出て、チョークの粉が前記フィルタ５９に遮断され、前記ねじりばね板６１を推し動かすと前記収納溝６３の中のチョークの粉を取り出すことができる。
【００１６】
使用する時、一面の黒板に字を書き詰めた時、モーター３０を始動し、これにより動力軸２７と、動力ベルトプーリ２８と、親ねじ２４と、長ギヤ２５とを連動させて回転させ、これによりホルダー２２を片側へ連動させて移動させることができ、長ギヤ２５の回転が第一ギヤ３５と、横軸３２と、第二ギヤ３６と、第三ギヤ３７と、短軸３８と、カム３９とを連動させて回転させ、これにより推し動かし板４３と長黒板拭き４４を連動させて上下に移動させ、これにより長黒板拭き４４を通じてチョークで書いた字を拭き、第一ベベルギヤ３４が横軸３２と、縦軸５０と、ウォーム５１と、ウォームホイール４６と、回転軸４５と、回転盤４９と、連結ロッド４７と、短黒板拭き４８とを連動させて回転させ、これによりチョークで書いた字を徹底的にきれいに拭き、ホルダー２２が左方へ移動する時にまず短黒板拭き４８によりチョークで書いた字を拭き、そして長黒板拭き４４によりチョークで書いた字を徹底的にきれいに拭き、縦軸５０がファンベルトプーリ５２と、ファン軸５６と、吸い込みファン５７とを連動させて回転させ、これにより作動チャンバ３１の中の浮遊しているチョークの粉を送気管５８により収納溝６３の中まで送り、吸い出した気体が排気口６２から出て、チョークの粉がフィルタ５９に遮断され、ねじりばね板６１を推し動かすと収納溝６３の中のチョークの粉を取り出すことができる。
【００１７】
本発明の有益効果は：本装置はチョークの粉を自動的に拭くことができると同時に、チョークの粉を収集でき、先生たちが苦労して黒板を拭く必要がなくなり、同時に浮遊しているチョークの粉を収集し、チョークの粉が先生と学生との健康を害することを防止できる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。